(57)【要約】【課題】液体紙容器用やペットボトル用やガラス瓶用などのネジ式の口栓体２０に装着する、悪戯や不正などで購入以前に開栓して、ＴＥ機能バンド３１を元に戻して閉栓したことに気付き易い、ピックテール式と通称するＴＥ機能付の口栓キャップを提供する。【解決手段】本発明は、通常のプラスチック製のネジ式のキャップ３０の下周端に、横ブリッジｅ付の縦の切欠きｆを有する環状２つ折りのＴＥ機能バンド３１を、縦の切欠きｆの近傍の１個のヒンジブリッジｇと全周の多数個の易切断ブリッジｈ ,ｈ ,ｈ ,…とを介して連設して、ネジ式のキャップ３０の側板の外面の、ＴＥ機能バンド３１の縦の切欠きｆの上部に、縦の切欠きｆの方向を示す確認矢印ａ２を設けて、ＴＥ機能バンド３１の外面の、縦の切欠きｆとの右端部と左端部とに、縦の切欠きｆの方向を示す確認矢印ａ３ ,ａ３を設けた。【選択図】図１
2006213361.tif 000002
【特許請求の範囲】
【請求項１】
天板の内面に液止めリングと側板の外面に滑り止め用の微細な歯車模様とを設けた、通常のプラスチック製のネジ式のキャップの下周端に、横ブリッジ付の縦の切欠きを有するＴＥ機能バンドを、多数個の易切断ブリッジとを介して連設した、ＴＥ機能付の口栓キャップにおいて、
ネジ式のキャップの側板の外面の、ＴＥ機能バンドの縦の切欠きの上部に、微細な歯車模様を除いた無模様部分を設けたことを特徴とするＴＥ機能付の口栓キャップ。
【請求項２】
請求項１に記載のＴＥ機能付の口栓キャップにおいて、
ネジ式のキャップの側板の外面の、ＴＥ機能バンドの縦の切欠きの上部の無模様部分に、縦の切欠きの方向を示す確認矢印を設けたことを特徴とするＴＥ機能付の口栓キャップ。
【請求項３】
請求項１又は請求項２に記載のＴＥ機能付の口栓キャップにおいて、
ＴＥ機能バンドの外面の、縦の切欠きとの右端部と左端部とに、それぞれ縦の切欠きの方向を示す確認矢印を設けたことを特徴とするＴＥ機能付の口栓キャップ。
【発明の詳細な説明】
【技術分野】
【０００１】
本発明は、日本酒類や清涼飲料水やドリンク剤などを収容する、液体紙容器用やペットボトル用やガラス瓶用などのネジ式の口栓体２０に装着する、通常のプラスチック製のネジ式のキャップ３０の下周端に、横ブリッジｅ付の縦の切欠きｆを有するＴＥ機能バンド３１を連設した、悪戯や不正などで購入以前に開栓したことに気付き易い、ピッグテール( pig-tail；豚の尻尾 )式と通称するＴＥ( Tamper-Evident；不正開栓防止、以下同じ )機能付の口栓キャップに関する。
【背景技術】
【０００２】
従来から、日本酒類や清涼飲料水やドリンク剤などを収容する、液体紙容器用やペットボトル用やガラス瓶用などの、下部外面にＴＥ機能バンド３１が嵌合する環状突起ｂを有する、例えば図２Ａ ,Ｂに示すネジ式の口栓体２０に装着する、天板の内面に液止めリングｃ( 図２Ａ ,Ｂを参照 )と側板の外面に滑り止め用の微細な歯車模様( ロ−レットと通称する、以下同じ )ｄとを設けた、通常のプラスチック製のネジ式のキャップ３０の下周端に、横ブリッジｅ付の縦の切欠きｆを有する環状２つ折りのＴＥ機能バンド３１を、縦の切欠きｆの近傍の１個のヒンジブリッジｇと全周の多数個の易切断ブリッジｈ ,ｈ ,ｈ
,…とを介して連設した、図４に示すピックテール式と通称するＴＥ機能付の口栓キャップが、広く用いられている。
【０００３】
この従来の、図４に示すＴＥ機能付の口栓キャップについては、ネジ式のキャップ３０をやゝ強く摘んで左回転して、下周端の多数個の易切断ブリッジｈ ,ｈ ,ｈ ,…と縦の切欠きｆの横ブリッジｅとを切断して開栓した時に、開栓したネジ式のキャップ３０の下端に、ネジ式の口栓体２０の環状突起ｂに嵌合していた環状２つ折りのＴＥ機能バンド３１が、１個のヒンジブリッジｇを介して、図１Ｂに示すピッグテール( 豚の尻尾 )状に繋がることによって、顧客が初回の開栓であることを明確に認識することができる、悪戯や不正などで購入以前に開栓される恐れが少ないＴＥ機能付の口栓キャップであった。
【０００４】
特許文献は、以下のとおりである。
【特許文献１】実開平３−９０８３３号公報
【特許文献１】特開２００４−６７１７１号公報
【発明の開示】
【発明が解決しようとする課題】
【０００５】
ところが従来の、図４に示すＴＥ機能付の口栓キャップについては、ネジ式のキャップ３０をやゝ強く摘んで左回転して、下周端の多数個の易切断ブリッジｈ ,ｈ ,ｈ ,…と縦の切欠きｆの横ブリッジｅとを切断して開栓した時に、開栓したネジ式のキャップ３０の下端に、環状２つ折りのＴＥ機能バンド３１がピッグテール状に繋がって残っていることが問題であって、悪戯や不正などで購入以前に開栓して、ネジ式のキャップ３０を右回転して、図１Ｂに示すピックテール状のＴＥ機能バンド３１を元に戻して( 要所を接着するなどして )閉栓した時に、図１Ｃに示すように、易切断ブリッジｈ ,ｈ ,ｈ ,…と横ブリッジｅとが切断して、特にＴＥ機能バンド３１の縦の切欠きｆの形状が大きく変化しているものの、図１Ａに示すＴＥ機能付の口栓キャップとの、全体の外観形状が類似しているために、このＴＥ機能バンド３１を元に戻して閉栓したことに、店員や顧客などが気付かない恐れがあった。
【０００６】
そこで、本発明の目的は、日本酒類や清涼飲料水やドリンク剤などを収容する、液体紙容器用やペットボトル用やガラス瓶用などのネジ式の口栓体２０に装着する、通常のプラ
スチック製のネジ式のキャップ３０の下周端に、横ブリッジｅ付の縦の切欠きｆを有する環状２つ折りのＴＥ機能バンド３１を連設した、悪戯や不正などで購入以前に開栓して、ＴＥ機能バンド３１を元に戻して閉栓したことに気付き易い、ピッグテール式と通称するＴＥ機能付の口栓キャップを提供することにある。
【課題を解決するための手段】
【０００７】
本発明の請求項１に記載のＴＥ機能付の口栓キャップは、図１ ,図２に示すように、液体紙容器用やペットボトル用やガラス瓶用などの、下部外面にＴＥ機能バンド３１が嵌合する環状突起ｂを有するネジ式の口栓体２０に装着する、天板の内面に液止めリングｃと側板の外面に滑り止め用の微細な歯車模様ｄとを設けた、通常のプラスチック製のネジ式のキャップ３０の下周端に、横ブリッジｅ付の縦の切欠きｆを有する、内周に複数個の固定リブを有するＴＥ機能バンド３１を、縦の切欠きｆの近傍の１個のヒンジブリッジｇと全周の多数個( 図１では１７個 )の易切断ブリッジｈ ,ｈ ,ｈ ,…とを介して連設した、図４に示すピッグテール式と通称するＴＥ機能付の口栓キャップにおいて、
図１Ａ ,Ｂ ,Ｃに示すように、ネジ式のキャップ３０の側板の外面の、ＴＥ機能バンド３１の縦の切欠きｆの上部に、微細な歯車模様ｄを除いた無模様部分ａ１を設けたことを特徴とするＴＥ機能付の口栓キャップである。
【０００８】
本発明の請求項２に記載のＴＥ機能付の口栓キャップは、前述した請求項１に記載のＴＥ機能付の口栓キャップにおいて、
図１Ａ ,Ｂ ,Ｃに示すように、ネジ式のキャップ３０の側板の外面の、ＴＥ機能バンド３１の縦の切欠きｆの上部の無模様部分ａ１に、縦の切欠きｆの方向を示す確認矢印ａ２を設けたことを特徴とするＴＥ機能付の口栓キャップである。
【０００９】
本発明の請求項３に記載のＴＥ機能付の口栓キャップは、前述した請求項１又は請求項２に記載のＴＥ機能付の口栓キャップにおいて、
図１Ａ ,Ｂ ,Ｃに示すように、ＴＥ機能バンド３１の外面の、縦の切欠きｆとの右端部と左端部とに、それぞれ縦の切欠きｆの方向を示す確認矢印ａ３ ,ａ３を設けたことを特徴とするＴＥ機能付の口栓キャップである。
【００１０】
本発明のＴＥ機能付の口栓キャップにおいては、前述した従来の、図４に示すピッグテール式と通称するＴＥ機能付の口栓キャップにおいて、
ネジ式のキャップ３０の側板の外面の、ＴＥ機能バンド３１の縦の切欠きｆの上部に、微細な歯車模様ｄを除いた無模様部分ａ１を設けたことによって、またネジ式のキャップ３０の側板の外面の、ＴＥ機能バンド３１の縦の切欠きｆの上部の無模様部分ａ１に、縦の切欠きｆの方向を示す確認矢印ａ２を設けたことによって、さらにＴＥ機能バンド３１の外面の、縦の切欠きｆとの右端部と左端部とに、それぞれ縦の切欠きｆの方向を示す確認矢印ａ３ ,ａ３を設けたことによって、
悪戯や不正などで購入以前に開栓して、ＴＥ機能バンド３１を元に戻して閉栓した時に、図１Ａに示すＴＥ機能付の口栓キャップとの、全体の外観形状が類似していても、店員や顧客などが、これら無模様部分ａ１ ,確認矢印ａ２ ,確認矢印ａ３ ,ａ３に着目することによって、図１Ｃに示す易切断ブリッジｈ ,ｈ ,ｈ ,…と横ブリッジｅとが切断して、特にＴＥ機能バンド３１の縦の切欠きｆの形状が大きく変化していることに気付き易いために、店員が商品の展示販売を中止するなどして、また顧客が商品の購入賞味を中止するなどして、それぞれ製造元や販売元などに迅速に連絡することができる。
【００１１】
しかも、本発明のＴＥ機能付の口栓キャップにおいては、前述した従来の、図４に示すピックテール式と通称するＴＥ機能付の口栓キャップと同様に、ネジ式のキャップ３０をやゝ強く摘んで左回転して、下周端の多数個の易切断ブリッジｈ ,ｈ ,ｈ ,…と縦の切欠きｆの横ブリッジｅとを切断して開栓した時に、開栓したネジ式のキャップ３０の下端に
、内周に複数個の固定リブを有するＴＥ機能バンド３１がピッグテール状に繋がることによって、顧客が初回の開栓であることを明確に認識することができる、悪戯や不正などで購入以前に開栓される恐れが少ないＴＥ機能付の口栓キャップを得ることができる。
【発明の効果】
【００１２】
以上、本発明のＴＥ機能付の口栓キャップにおいては、日本酒類や清涼飲料水やドリンク剤などを収容する、液体紙容器用やペットボトル用やガラス瓶用などのネジ式の口栓体２０に装着する、通常のプラスチック製のネジ式のキャップ３０の下周端に、横ブリッジｅ付の縦の切欠きｆを有する環状２つ折りのＴＥ機能バンド３１を連設した、悪戯や不正などで購入以前に開栓して、ＴＥ機能バンド３１を元に戻して閉栓したことに気付き易い、しかも、顧客が初回の開栓であることを明確に認識することができる、悪戯や不正などで購入以前に開栓される恐れが少ない、ピッグテール式と通称するＴＥ機能付の口栓キャップを提供することができる。
【発明を実施するための最良の形態】
【００１３】
本発明のＴＥ機能付の口栓キャップにおける、ネジ式のキャップ３０の側板の外面の、ＴＥ機能バンド３１の縦の切欠きｆの上部に設けた無模様部分ａ１については、またネジ式のキャップ３０の側板の外面の、ＴＥ機能バンド３１の縦の切欠きｆの上部の無模様部分ａ１に設けた確認矢印ａ２については、さらにＴＥ機能バンド３１の外面の、縦の切欠きｆとの右端部と左端部とに設けた確認矢印ａ３ ,ａ３については、
店員や顧客などが、これら無模様部分ａ１ ,確認矢印ａ２ ,確認矢印ａ３ ,ａ３に着目することによって、図１Ｃに示す易切断ブリッジｈ ,ｈ ,ｈ ,…と横ブリッジｅとが切断して、特にＴＥ機能バンド３１の縦の切欠きｆの形状が大きく変化していることに気付き易くしたものであって、ネジ式のキャップ３０の天板の上面や側板の外面の無模様部分ａ１などに、また液体紙容器やペットボトルやガラス瓶などに貼付するラベルなどに、さらにこれらの商品に添付するチラシなどに、これら無模様部分ａ１ ,確認矢印ａ２ ,確認矢印ａ３ ,ａ３に着目して、特にＴＥ機能バンド３１の縦の切欠きｆの形状の変化に注意してほしい旨を、明示しておくことが好ましい。
【実施例１】
【００１４】
図１Ａは、本発明の実施例１における、ＴＥ機能付の口栓キャップの斜視図であって、図１Ｂ ,Ｃは、ＴＥ機能付の口栓キャップのＴＥ機能バンド３１が、ピッグテール状に繋がって開栓した状態と元に戻して閉栓した状態とを示す斜視図である。
【００１５】
図２Ａ ,Ｂは、本発明の実施例１における、ＴＥ機能付の口栓キャップを装着した、液体紙容器用とペットボトル用とのネジ式の口栓体２０の斜視図であって、図３Ａ ,Ｂは、ＴＥ機能付の口栓キャップを装着する、切妻屋根形の液体紙容器と口栓一体型のペットボトルとの斜視図である。
【００１６】
すなわち、天板の内面に通常の液止めリングｃと側板の外面に滑り止め用の微細な歯車模様ｄとを設けた、外径２４ｍｍで高さ１２ｍｍの通常のネジ式のキャップ３０の下周端に、横ブリッジｅ付の縦の切欠きｆを有する、外径２４ｍｍで高さ３ｍｍの内周に複数個の固定リブを有するＴＥ機能バンド３１を、縦の切欠きｆの近傍の１個のヒンジブリッジｇと全周の１７個の易切断ブリッジｈ ,ｈ ,ｈ ,…とを介して連設した、前述した従来の、図４に示すピッグテール式と通称するＴＥ機能付の口栓キャップにおいて、
ネジ式のキャップ３０の側板の外面の、ＴＥ機能バンド３１の縦の切欠きｆの上部に、縦と横とが１０×４ｍｍの微細な歯車模様ｄを除いた無模様部分ａ１を設けて、またネジ式のキャップ３０の側板の外面の、この縦と横とが１０×４ｍｍの無模様部分ａ１に、縦の切欠きｆの方向を示す凸状の確認矢印ａ２を設けて、さらに外径２４ｍｍで高さ( 上下幅 )３ｍｍのＴＥ機能バンド３１の外面の、縦の切欠きｆとの右端部と左端部とに、それ
ぞれ縦の切欠きｆの方向を示す凹状の確認矢印ａ３ ,ａ３を設けた、図１Ａに示す実施例１の、ピッグテール式と通称するＴＥ機能付の口栓キャップを、通常のポリエチレン樹脂を用いた射出成形方法で作製した。
【００１７】
次に、図３Ａに示す５００ｍｌの日本酒を収容する切妻屋根形の液体紙容器４０の上部開口ｉに、熱融着するなどして装着した、内面に通常のプルリングｊ付の開封部２１を設けた、下部外面にＴＥ機能バンド３１が嵌合する環状突起ｂを有する、図２Ａに示す内径１８ｍｍで高さ２０ｍｍのポリエチレン製のネジ式の口栓体２０に、また図３Ｂに示す５００ｍｌの緑茶飲料を収容する口栓一体型のペットボトル４１の上部の、下部外面にＴＥ機能バンド３１が嵌合する環状突起ｂを有する、図２Ｂに示す内径１８ｍｍのポリエステル(PET)製のネジ式の口栓体２０に、それぞれ図１Ａに示す実施例１のＴＥ機能付の口栓キャップを、右回転してネジ込んで、ネジ式の口栓体２０の環状突起ｂに環状２つ折りのＴＥ機能バンド３１が開いて嵌合した状態で装着したところ、
前述した従来の、図４に示すピッグテール式と通称するＴＥ機能付の口栓キャップと同様に、それぞれのネジ式のキャップ３０をやゝ強く摘んで左回転して、下周端の１７個の易切断ブリッジｈ ,ｈ ,ｈ ,…と縦の切欠きｆの横ブリッジｅとを切断して開栓した時に、開栓したネジ式のキャップ３０の下端に、ネジ式の口栓体２０の環状突起ｂに嵌合していた環状２つ折りのＴＥ機能バンド３１が、１個のヒンジブリッジｇを介して、図１Ｂに示すピッグテール状に繋がることによって、顧客が初回の開栓であることを明確に認識することができる、悪戯や不正などで購入以前に開栓される恐れが少ないＴＥ機能付の口栓キャップを得ることができた。
【００１８】
本実施例１のＴＥ機能付の口栓キャップにおいては、外径２４ｍｍで高さ１２ｍｍのネジ式のキャップ３０の側板の外面の、ＴＥ機能バンド３１の縦の切欠きｆの上部に、縦と横とが１０×４ｍｍの無模様部分ａ１を設けて、この縦と横とが１０×４ｍｍの無模様部分ａ１に、縦の切欠きｆの方向を示す凸状の確認矢印ａ２を設けて、さらに外径２４ｍｍで高さ３ｍｍのＴＥ機能バンド３１の外面の、縦の切欠きｆとの右端部と左端部とに、それぞれ縦の切欠きｆの方向を示す凹状の確認矢印ａ３ ,ａ３を設けたことによって、
悪戯や不正などで購入以前に開栓して、ＴＥ機能バンド３１を元に戻して閉栓した時に、店員や顧客などが、これら無模様部分ａ１ ,確認矢印ａ２ ,確認矢印ａ３ ,ａ３に着目することによって、図１Ｃに示す易切断ブリッジｈ ,ｈ ,ｈ ,…と横ブリッジｅとが切断して、特にＴＥ機能バンド３１の縦の切欠きｆの形状が大きく変化していることに気付き易いために、店員が商品の展示販売を中止するなどして、また顧客が商品の購入賞味を中止するなどして、それぞれ製造元や販売元などに迅速に連絡することができる、ピッグテール式と通称するＴＥ機能付の口栓キャップを得ることができた。
【００１９】
なお、本実施例１のＴＥ機能付の口栓キャップにおいては、店員や顧客などが、これら無模様部分ａ１ ,確認矢印ａ２ ,確認矢印ａ３ ,ａ３に着目することによって、図１Ｃに示す易切断ブリッジｈ ,ｈ ,ｈ ,…と横ブリッジｅとが切断して、特にＴＥ機能バンド３１の縦の切欠きｆの形状が大きく変化していることに気付き易くするために、図３Ａに示す５００ｍｌの日本酒を収容する切妻屋根形の液体紙容器４０の、ネジ式の口栓体２０を装着する上部開口ｉの近傍に、また図３Ｂに示す５００ｍｌの緑茶飲料を収容する口栓一体型のペットボトル４１に貼付する、図示していないラベルのネジ式の口栓体２０側に、"不正開栓防止バンドの矢印で示す部分が切れたり弛んだりしている時には、この商品が不正に開栓された恐れがありますので、下記○○○○○○へ連絡して下さい"と、印刷をして明示している。
【図面の簡単な説明】
【００２０】
【図１】本発明の実施例１における、図１Ａは、ＴＥ機能付の口栓キャップの斜視図であって、図１Ｂ ,Ｃは、ＴＥ機能付の口栓キャップのＴＥ機能バンド３１が、ピックテール状に繋がって開栓した状態と元に戻して閉栓した状態とを示す斜視図である。
【図２】本発明の実施例１における、図２Ａ ,Ｂは、ＴＥ機能付の口栓キャップを装着した、液体紙容器用とペットボトル用とのネジ式の口栓体２０の斜視図である。
【図３】本発明の実施例１における、図３Ａ ,Ｂは、ＴＥ機能付の口栓キャップを装着する、切妻屋根形の液体紙容器と口栓一体型のペットボトルとの斜視図である。
【図４】従来の、ＴＥ機能付の口栓キャップの斜視図である。
【符号の説明】
【００２１】
２０        …ネジ式の口栓体
２１        …開封部
３０        …ネジ式のキャップ
３１        …ＴＥ機能バンド
４０        …切妻屋根形の液体紙容器
４１        …口栓一体型のペットボトル
ａ１        …無模様部分
ａ２ ,ａ３  …確認矢印
ｂ          …環状突起
ｃ          …液止めリング
ｄ          …微細な歯車模様
ｅ          …横ブリッジ
ｆ          …縦の切欠き
ｇ          …ヒンジブリッジ
ｈ          …易切断ブリッジ
ｉ          …上部開口
ｊ          …プルリング
ｋ          …固定リブ
【図１】
2006213361.tif 000003
【図２】
2006213361.tif 000004
【図３】
2006213361.tif 000005
【図４】
2006213361.tif 000006